(57)【要約】  移動体６の走行情報に基づいて、地元の人が足しげく通う施設を地元の人に好評な施設として例えば観光客に推奨する推奨施設情報を作成する。  施設推奨サーバシステム３０は、移動体６の起動情報と位置情報を受信する通信部３３と、施設情報３２３及び施設の施設位置を含む地図情報３２２を記憶する記憶部３２と、通信部３３により受信した情報に基づいて算出した移動体６の走行情報に基づいて、移動体６の自宅位置を推定し、推定した自宅位置から第１所定範囲内に存在する施設であって移動体６が訪問する施設に関する地元施設情報を抽出する地元施設抽出部３１２と、抽出された地元施設情報から、所定の施設に該当する施設情報を除外して、推奨施設情報を作成する推奨施設情報作成部３１３と、を備える。
2019130752.tif 000002
【特許請求の範囲】
【請求項１】
移動体の起動情報と位置情報を受信する位置情報受信部と、
施設に関する情報及び前記施設の施設位置を含む地図情報を記憶する記憶部と、
前記位置情報受信部により受信した情報に基づいて前記移動体の走行情報を算出し、前記走行情報に基づいて、前記移動体ごとに前記移動体の自宅位置を推定し、前記推定した自宅位置から予め設定される第１所定範囲内に存在する施設であって前記移動体が訪問する施設に関する地元施設情報を抽出する地元施設抽出部と、
前記抽出された地元施設情報から、予め設定される所定の施設に該当する施設情報を除外して、推奨施設情報を作成する推奨施設情報作成部、とを備えることを特徴とする施設推奨サーバシステム。
【請求項２】
前記予め設定される所定の施設は、医療若しくは薬品に従事する機関、又は複数の店舗を持つチェーン店若しくはフランチャイズ店を含むことを特徴とする請求項１に記載の施設推奨サーバシステム。
【請求項３】
前記地元施設抽出部は、前記移動体の推定された自宅位置が、前記記憶部に記憶された施設に関する情報に基づいて、レンタカー施設の位置と判定された場合には、前記移動体の訪問する施設情報を地元施設情報として抽出しないことを特徴とする請求項１又は請求項２に記載の施設推奨サーバシステム。
【請求項４】
前記予め設定される所定の施設は、全国各地の施設情報をガイドしたエリアマガジンに記載された施設、又は全国各地の施設情報をガイドした観光客向けサイトに紹介された施設を含むことを特徴とする請求項１乃至請求項３の何れか１項に記載の施設推奨サーバシステム。
【請求項５】
施設に関する情報及び前記施設の施設位置を含む地図情報を記憶する記憶部を有する１つ以上のコンピュータが行う施設推奨方法であって、
移動体の起動情報と位置情報を受信する位置情報受信ステップと、
前記位置情報受信ステップにおいて受信した情報に基づいて前記移動体の走行情報を算出し、前記走行情報に基づいて、前記移動体ごとに前記移動体の自宅位置を推定し、前記推定した自宅位置から予め設定される第１の距離範囲内に存在する施設であって前記移動体が訪問する施設に関する地元施設情報を抽出する地元施設抽出ステップと、
前記地元施設抽出ステップにおいて抽出された前記地元施設情報から、予め設定される所定の施設に該当する施設情報を除外して、推奨施設情報を作成する推奨施設情報ステップと、を備えることを特徴とする施設推奨方法。
【請求項６】
前記予め設定される所定の施設は、医療若しくは薬品に従事する機関、又は複数の店舗を持つチェーン店若しくはフランチャイズ店を含むことを特徴とする請求項５に記載の施設推奨方法。
【請求項７】
前記地元施設抽出ステップは、前記移動体の推定された自宅位置が、前記記憶部に記憶された施設に関する情報に基づいて、レンタカー施設の位置と判定された場合には、前記移動体の訪問する施設情報を地元施設情報として抽出しないことを特徴とする請求項５又は請求項６に記載の施設推奨方法。
【請求項８】
前記予め設定される所定の施設は、全国各地の施設情報をガイドしたエリアマガジンに記載された施設、又は全国各地の施設情報をガイドした観光客向けサイトに紹介された施設を含むことを特徴とする請求項５乃至請求項７の何れか１項に記載の施設推奨方法。
【発明の詳細な説明】
【技術分野】
【０００１】
本発明は、自動車等の車両の走行情報に基づいて、例えば地元の人が足しげく通う施設（店舗）を地元の人に好評な施設として推奨する施設情報を作成する施設推奨サーバ、及び施設推奨方法に関する。
【背景技術】
【０００２】
従来、旅行や仕事で非居住地に訪れた際の楽しみが、その土地の店舗への訪問であり、特に、地元の人が足繁く通う飲食店等を訪問したいという要望が高い。しかし、ガイドブックを頼りに施設を訪問すると実際には観光客が多数を占めていたり、ユーザのニーズに応えられないことも多い。【０００３】
この点、例えば幹線道路を走行するドライバーに対して、裏通りに面している店舗を優先的に推奨することで、味やサービス等の品質が良い店舗を気づかせることを可能とするナビゲーションサーバシステムの一例が特許文献１に開示されている。
特許文献１に開示の技術では、自動車等の車両の走行情報に基づいて、地域住民の車両の交通量の大きい道路の幹線レベルを低くなるように設定することで、ナビゲーションサーバシステムは、幹線レベルが低い道路（すなわち、地域住民の交通量の大きい道路）に面した施設情報を優先的に車載ナビゲーション装置又は携帯端末に対して、通信部１３を介して送信する。これにより、幹線道路から外れている施設（店舗）を優先的に提供することで、ユーザにとって走行中に目に入る施設以外の施設（店舗）を知ることを可能としている。
【先行技術文献】
【特許文献】
【０００４】
【特許文献１】特開２０１６−１７３２５７号公報
【発明の概要】
【発明が解決しようとする課題】
【０００５】
特許文献１に開示の技術等を利用すれば、上述したように、地域住民の交通量の大きい道路に面した施設（店舗）に関する情報を提供することができる。
しかしながら、地元の人が足しげく通う施設（店舗）に関する情報を提供することは困難であった。【０００６】
本発明はこのような問題に鑑みてなされたものであり、本発明は、自動車等の車両の走行情報に基づいて、例えば地元の人が足しげく通う施設（店舗）を地元の人に好評な施設として推奨する施設情報を作成することが可能な施設推奨サーバ、及び施設推奨方法を提供することを目的とする。
【課題を解決するための手段】
【０００７】
（１）本発明の施設推奨サーバシステム（例えば、後述の「施設推奨サーバシステム３０」）は、移動体（例えば、後述の「車両５０」）の起動情報と位置情報を受信する位置情報受信部（例えば、後述の「通信部３３」）と、施設に関する情報（例えば、後述の「施設情報３２３」）及び前記施設の施設位置を含む地図情報（例えば、後述の「地図情報３２２」）を記憶する記憶部（例えば、後述の「記憶部３２」）と、前記位置情報受信部により受信した情報に基づいて前記移動体の走行情報を算出し、前記走行情報に基づいて、前記移動体ごとに前記移動体の自宅位置を推定し、前記推定した自宅位置から予め設定される第１所定範囲内に存在する施設であって前記移動体が訪問する施設に関する地元施設情報を抽出する地元施設抽出部（例えば、後述の「地元施設抽出部３１２」）と、前記抽出された地元施設情報から、予め設定される所定の施設に該当する施設情報を除外して、推奨施設情報を作成する推奨施設情報作成部（例えば、後述の「推奨施設情報作成部３１３」）、とを備える。【０００８】
上記（１）によれば、自動車等の車両の走行情報に基づいて、例えば地元の人が足しげく通う施設（店舗）を地元の人に好評な施設として推奨する施設情報を作成することが可能な施設推奨サーバを提供することができる。【０００９】
（２）  上記（１）に記載の予め設定される所定の施設は、医療若しくは薬品に従事する機関、又は複数の店舗を持つチェーン店若しくはフランチャイズ店を含むようにしてもよい。【００１０】
上記（２）によれば、地元のユーザが日常的によく訪問する地元の施設であっても、地域外のユーザ（例えば観光客）にとっては不要となる施設が推奨されることなく、地域外のユーザに対して、地元の人に好評な施設として推奨する施設情報の確度を高めることができる。【００１１】
（３）  上記（１）又は（２）に記載の地元施設抽出部（例えば、後述の「地元施設抽出部３１２」）は、前記移動体（例えば、後述の「車両５０」）の推定された自宅位置が、前記記憶部（例えば、後述の「記憶部３２」）に記憶された施設に関する情報に基づいて、レンタカー施設の位置と判定された場合には、前記移動体の訪問する施設情報を地元施設情報として抽出しないようにしてもよい。【００１２】
上記（３）によれば、地元のユーザではなく地域外のユーザが利用するレンタカーからの情報を除外し、地元のユーザがよく訪問する地元の施設が抽出される確度を高めることができる。【００１３】
（４）  上記（１）から（３）の何れかに記載の予め設定される所定の施設は、全国各地の施設情報をガイドしたエリアマガジンに記載された施設、又は全国各地の施設情報をガイドした観光客向けサイトに紹介された施設を含むようにしてもよい。【００１４】
上記（４）によれば、地域外のユーザ（例えば観光客）が多く訪問している施設を推奨することなく、地元民以外に知られていない施設を推奨する確度を高めることができ、推奨施設情報の価値をより高めることができる。【００１５】
（５）本発明の施設推奨方法は、施設に関する情報（例えば、後述の「施設情報３２３」）及び前記施設の施設位置を含む地図情報（例えば、後述の「地図情報３２２」）を記憶する記憶部（例えば、後述の「記憶部３２」）を有する１つ以上のコンピュータ（例えば、後述の「施設推奨サーバシステム３０」）が行う施設推奨方法であって、移動体（例えば、後述の「車両５０」）の起動情報と位置情報を受信する位置情報受信ステップと、前記位置情報受信ステップにおいて受信した情報に基づいて前記移動体の走行情報を算出し、前記走行情報に基づいて、前記移動体ごとに前記移動体の自宅位置を推定し、前記推定した自宅位置から予め設定される第１の距離範囲内に存在する施設であって前記移動体が訪問する施設に関する地元施設情報を抽出する地元施設抽出ステップと、前記地元施設抽出ステップにおいて抽出された前記地元施設情報から、予め設定される所定の施設に該当する施設情報を除外して、推奨施設情報を作成する推奨施設情報ステップと、を備える。
上記（５）の方法によれば、（１）の施設推奨サーバシステムと同様の効果を奏する。【００１６】
（６）  上記（５）に記載の予め設定される所定の施設は、医療若しくは薬品に従事する機関、又は複数の店舗を持つチェーン店若しくはフランチャイズ店を含むようにしてもよい。
上記（６）の方法によれば、（２）の施設推奨サーバシステムと同様の効果を奏する。【００１７】
（７）  上記（５）又は（６）に記載の地元施設抽出ステップは、前記移動体（例えば、後述の「車両５０」）の推定された自宅位置が、前記記憶部（例えば、後述の「記憶部３２」）に記憶された施設に関する情報に基づいて、レンタカー施設の位置と判定された場合には、前記移動体の訪問する施設情報を地元施設情報として抽出しないようにしてもよい。
上記（７）の方法によれば、（３）の施設推奨サーバシステムと同様の効果を奏する。【００１８】
（８）上記（５）から（７）の何れかに記載の予め設定される所定の施設は、全国各地の施設情報をガイドしたエリアマガジンに記載された施設、又は全国各地の施設情報をガイドした観光客向けサイトに紹介された施設を含むようにしてもよい。
上記（８）の方法によれば、（４）の施設推奨サーバシステムと同様の効果を奏する。
【発明の効果】
【００１９】
本発明によれば、自動車等の車両の走行情報に基づいて、例えば地元の人が足しげく通う施設（店舗）を地元の人に好評な施設として推奨する施設情報を作成することが可能な施設推奨サーバ、及び施設推奨方法を提供することができる。
【図面の簡単な説明】
【００２０】
【図１】本発明の実施形態である施設推奨システム全体の基本的構成を示すブロック図である。
【図２】本発明の実施形態における車載ナビゲーション装置の機能構成を示す機能ブロック図である。
【図３】本発明の実施形態における携帯端末の機能構成を示す機能ブロック図である。
【図４】本発明の実施形態における施設推奨サーバシステムの機能構成を示す機能ブロック図である。
【図５】本発明の実施形態における位置情報データベースの例を示す図である。
【図６】本発明の実施形態における位置情報の収集及び位置情報データベースの更新時の基本的動作を示すフローチャートである。
【図７】本発明の実施形態における推奨施設情報作成処理時の基本的動作を示すフローチャートである。
【図８Ａ】車載ナビゲーション装置１０又は携帯端末２０に表示される、推奨施設情報配信を要求するための画面の例を示す図である。
【図８Ｂ】車載ナビゲーション装置１０又は携帯端末２０に表示される、配信された推奨施設の位置を表示する画面の例を示す図である。
【図８Ｃ】車載ナビゲーション装置１０又は携帯端末２０に表示される、配信された推奨施設情報を表示する画面の例を示す図である。
【発明を実施するための形態】
【００２１】
＜施設推奨システム１の全体構成＞
以下、本発明の施設推奨システムの好ましい一実施形態について、図を参照しながら詳細に説明する。図１に、施設推奨システム１の全体構成を示す。
【００２２】
図１に示すように、施設推奨システム１は、車載ナビゲーション装置１０と、携帯端末２０と、施設推奨サーバシステム３０と、を含んで構成される。これら各装置及び各端末は、通信網４０を介して相互に通信可能に接続される。なお、図中では、これら各装置及び各端末にて送受信される情報についても図示しているが、これらの情報はあくまで一例である。本実施形態にて、図示をしている以外の情報が送受信されるようにしてもよい。
【００２３】
車載ナビゲーション装置１０は、車載ナビゲーション装置１０の位置情報（すなわち、車両５０ａの位置情報）を測位する機能を有する。車載ナビゲーション装置１０が測位した位置情報は、施設推奨サーバシステム３０に対して適宜送信される。また、車載ナビゲーション装置１０は、車両５０ａに乗車したユーザに対して、推奨施設情報の表示及び経路案内（カーナビゲーション）等を行う機能も有する。車載ナビゲーション装置１０は、ユーザの要求に基づき、推奨施設情報の表示及び現在位置から目的地までの経路案内等を行う。
車載ナビゲーション装置１０は、移動体である車両５０ａに据え付けられたカーナビゲーション装置や、移動体である車両５０ａに簡易的に設置され可搬可能なＰＮＤ（Portable Navigation Device）により実現することができる。
【００２４】
携帯端末２０は、車両５０ｂに乗車したユーザが利用する携帯端末である。携帯端末２０は、上述した車載ナビゲーション装置１０と同様に、携帯端末２０の位置情報（すなわち、車両５０ｂの位置情報）を測位する機能を有する。携帯端末２０が測位した位置情報は、車載ナビゲーション装置１０が測位した位置情報と同様に、施設推奨サーバシステム３０に対して適宜送信される。
携帯端末２０は、スマートフォン、携帯電話機、タブレット端末、ノートパソコン、その他の携帯可能な電子機器により実現することができる。
【００２５】
なお、図中では、車載ナビゲーション装置１０と車両５０ａの組と、携帯端末２０と車両５０ｂの組をそれぞれ一組ずつ図示しているが、これらの組数に特に制限はない。また、以下の説明において、車載ナビゲーション装置１０が搭載された車両５０ａや、携帯端末２０を利用するユーザが乗車する車両５０ｂを区別することなく呼ぶ場合には、末尾のアルファベットを省略して、単に「車両５０」と呼ぶ。
【００２６】
施設推奨サーバシステム３０は、本実施形態特有の処理として、地元の人に好評な（好評と推測される）施設を抽出して、予め設定される所定の施設（例えば、医療及び／又は薬品に従事する機関、複数の店舗を持つチェーン店やフランチャイズ店等）に該当する施設情報を除外して、推奨施設情報を作成する装置である。
ここで、予め設定される所定の施設としては、医療及び／又は薬品に従事する機関、複数の店舗を持つチェーン店やフランチャイズ店等が挙げられる。具体的には、例えば、コンビニエンスストア、ファミリーレストラン、チェーン又はフランチャイズ式の各種和洋中のレストラン、衣料品のＳＰＡ（製造小売業）、モール等が挙げられる。また、予め設定される所定の施設として、全国各地の施設情報をガイドしたエリアマガジンに記載された施設又は全国各地の施設情報をガイドした観光客向けサイトに紹介された施設を含めてもよい。
【００２７】
施設推奨サーバシステム３０は、車載ナビゲーション装置１０や携帯端末２０から、各車両５０の位置情報を取得することにより、各車両５０の位置情報についてのデータベースである位置情報データベースを作成する。また、施設推奨サーバシステム３０は、複数の施設に関する施設位置を含む地図情報を記憶する。
そして、施設推奨サーバシステム３０は、車両５０の位置情報に基づいて、施設までの移動経路における出発位置を特定し、該特定した出発位置が自宅位置と推定され、かつ地図情報により特定される施設位置から第１所定範囲内に存在する場合には、車両５０の訪問した施設を地元推奨候補施設として抽出する。
ここで、出発位置が地図情報により特定される施設位置から第１所定範囲内に存在するとは、施設の近くから施設を訪問していることを示す。つまり、施設の近傍に自宅や職場等がある施設近辺に詳しい地元ユーザである可能性が高い。そして、このような地元ユーザは、施設近辺に詳しいことから、地元のユーザに人気のある施設を利用するはずである。つまり、本実施形態によれば、このような地元のユーザが訪問する施設を、推奨する施設情報として抽出することができる。
【００２８】
上述したように、地元のユーザが訪問する施設は、地元のユーザに人気のある施設である可能性が高い。従って、このような施設の情報を提供できる本実施形態の構成は、自動車等の車両の走行情報に基づいて、例えば地元の人が足しげく通う施設（店舗）を地元の人に好評な施設として推奨する施設情報を作成することが可能となる。
【００２９】
また、車載ナビゲーション装置１０や携帯端末２０が、このような地元の人に好評な施設を推奨することにより、車両５０の運転手又は同乗者である地域外のユーザ（例えば観光客）は、ガイドブックを頼りに施設を訪問する場合とは異なり、まだ観光客（又は一見さん）が多数訪問していない、地元の人に好評な施設へ訪れることが可能となる。
【００３０】
なお、施設推奨サーバシステム３０は、例えば、汎用のサーバ装置に本実施形態特有のソフトウェアを組み込むことにより実現することができる。ここで、サーバ装置は、１つのコンピュータ又は複数のコンピュータから構成される分散システムでもよい。
【００３１】
通信網４０は、インターネットや携帯電話網といったネットワークや、これらを組合せたネットワークにより実現される。
【００３２】
車両５０は、車載ナビゲーション装置１０や携帯端末２０のユーザが乗車する移動体である。車両５０は、例えば、四輪自動車や自動二輪車や自転車等により実現される。
以上、施設推奨システム１の全体構成について説明した。
次にそれぞれの構成について説明する。
【００３３】
＜車載ナビゲーション装置１０が備える機能ブロック＞
車載ナビゲーション装置１０が備える機能ブロックについて図２のブロック図を参照して説明をする。
ここで、車載ナビゲーション装置１０は、車両５０ａから電源の供給を受けており、車両５０ａに乗車したユーザにより車両５０ａのイグニッションスイッチがオン（エンジンを起動）にされることによって自動起動する。そして、車載ナビゲーション装置１０は、車両５０ａに乗車したユーザにより車両５０ａのイグニッションスイッチがオフ（エンジンを停止）にされるまで稼働する。
【００３４】
図２に示すように、車載ナビゲーション装置１０は、制御部１１と、記憶部１２と、通信部１３と、センサ部１４と、表示部１５と、入力部１６とを含んで構成される。
【００３５】
制御部１１は、マイクロプロセッサ等の演算処理装置から構成され、１０を構成する各部の制御を行う。制御部１１の詳細については、後述する。
【００３６】
記憶部１２は、半導体メモリ等で構成されており、ファームウェアやオペレーティングシステムと呼ばれる制御用のプログラムや、経路案内処理を行うためのプログラムや、施設推奨サーバシステム３０に対する位置情報の送信処理を行うためのプログラムといった各プログラム、更にその他、地図情報等の種々の情報が記憶される。図中には、記憶部１２が記憶する情報として、施設推奨サーバシステム３０に対して提供する情報である、地図情報１２１、位置情報１２２及び識別情報１２３を図示する。
【００３７】
地図情報１２１には、道路や施設等の地物に関する情報、道路情報、施設位置情報、駐車場情報等の情報が含まれる。また、地図情報１２１には他にも、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
【００３８】
道路情報としては道路の種別や信号機等のいわゆる道路地図の情報が保存されている。
施設位置情報としては、各施設の位置情報が緯度経度の情報として保存されている。また、施設位置情報として、施設の識別情報（施設ＩＤ）、名称、施設種別（及び／又はジャンル）、電話番号、住所、営業時間、施設が飲食店であれば提供するメニュー、商品役務等に関する施設情報、等の付帯的な情報が含まれていてもよい。
駐車場情報としては、駐車場の位置情報が緯度経度の情報として保存されている。駐車場が各施設の駐車場である場合には、施設と駐車場を紐付けて保存される。
【００３９】
位置情報１２２は、後述のセンサ部１４により測位された車載ナビゲーション装置１０の位置情報（すなわち、車両５０ａの位置情報）である。位置情報１２２には、測位された位置を示す情報のみならず、測位を行った時刻である測位時刻も含まれるようにするとよい。
【００４０】
また、識別情報１２３は、車載ナビゲーション装置１０を識別するための情報である。識別情報１２３としては、例えば車載ナビゲーション装置１０に一意に割り当てられた製造番号等を利用することができる。また、他にも、通信部１３が携帯電話網等のネットワークである通信網４０に接続するために、通信部１３に挿入されたＳＩＭ（Subscriber Identity Module）に付与された電話番号を識別情報１２３として利用することができる。また、他にも、車両５０ａに固有に付与されたＶＩＮ（車両識別番号）やナンバープレートの番号を識別情報１２３として利用することができる。
【００４１】
これらの記憶部１２に格納される各情報については、記憶部１２に予め記憶しておく構成としてもよいし、通信網４０に接続された施設推奨サーバシステム３０や、他のサーバ装置（図示を省略する。）等から必要に応じて適宜ダウンロードされる構成としてもよい。更に、ユーザの入力等に応じて適宜修正されてもよい。
【００４２】
通信部１３は、ＤＳＰ（Digital Signal Processor）等を有し、３Ｇ（3rd Generation）、ＬＴＥ（Long Term Evolution）やＷｉ−Ｆｉ（登録商標）といった規格に準拠して、通信網４０を介して通信網４０を介した他の装置（例えば、施設推奨サーバシステム３０）との間の無線通信を実現する。通信部１３は、例えば、後述の位置情報送信部１１２が、記憶部１２に格納されている位置情報１２２及び識別情報１２３を、施設推奨サーバシステム３０に対して送信するために利用される。ただし、通信部１３と他の装置との間で送受信されるデータに特に制限はなく、位置情報１２２及び識別情報１２３以外の情報が送受信されるようにしてもよい。
【００４３】
センサ部１４は、例えばＧＰＳ（Global Positioning System）センサ、ジャイロセンサ、加速度センサ等により構成される。センサ部１４は、位置情報を検出する位置検出手段としての機能を備え、ＧＰＳセンサによりＧＰＳ衛星信号を受信し、車載ナビゲーション装置１０の位置情報（緯度及び経度）を測位する。センサ部１４による測位は、上述したように所定の時間間隔（例えば３秒間隔）で行われる。測位した位置情報は、位置情報１２２として記憶部１２に格納される。なお、位置情報には、位置情報を測位した時刻情報を含めてもよい。そうすることで、車両５０が、いつ、どこに位置していたか、を算出することが可能となる。
なお、センサ部１４は、ジャイロセンサ、加速度センサにより測定される角速度や、加速度に基づいて車載ナビゲーション装置１０の位置情報の測位精度を更に高めることも可能である。
また、センサ部１４は、ＧＰＳ通信が困難又は不可能となった場合に、ＡＧＰＳ（Assisted Global Positioning System）通信を利用し、通信部１３から取得される基地局情報によって車載ナビゲーション装置１０の位置情報を算出することも可能である。
【００４４】
表示部１５は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、車載ナビゲーション装置１０の現在位置、地図情報１２１から読み出された車載ナビゲーション装置１０の現在位置周辺の地図情報、ユーザに設定された目的地、他の車載ナビゲーション装置１０から通知された待ち合わせ情報、施設推奨サーバシステム３０から提供される推奨施設情報、当該推奨施設情報を目的地とするルート情報、及び各種のユーザインタフェース等が挙げられる。
【００４５】
入力部１６は、テンキーと呼ばれる物理スイッチや表示部１５の表示面に重ねて設けられたタッチパネル等の入力装置（図示を省略する。）等で構成される。入力部１６からの操作入力、例えばユーザによるテンキーの押下、タッチパネルのタッチに基づいた信号を制御部１１に出力することで、ユーザによる選択操作や、地図の拡大縮小等の操作を実現することができる。
【００４６】
なお、この他、図示しないが、車載ナビゲーション装置１０は、スピーカやマイク等を備えることもできる。スピーカは、運転者に対して音声出力を行い、マイクは、運転者によって発せられた音声等を集音する。
そうすることで、情報をスピーカから音声で出力したり、マイクを介して音声入力された運転者による各種の選択、指示を音声認識技術により、制御部１１に入力したりすることもできる。
【００４７】
次に、制御部１１の詳細について説明をする。制御部１１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部１２から読み出した各プログラムを実行し、その実行の際にはＲＡＭ、ＲＯＭ、及び記憶部１２から情報を読み出し、ＲＡＭ及び記憶部１２に対して情報の書き込みを行い、通信部１３、センサ部１４、表示部１５、及び入力部１６と信号の授受を行う。そして、このようにして、ハードウェアとソフトウェア（プログラム）が協働することにより本実施形態における処理は実現される。
【００４８】
制御部１１は、機能ブロックとして、経路案内部１１１、位置情報送信部１１２及び推奨施設情報要求部１１３を備える。
【００４９】
経路案内部１１１は、ユーザによって入力又は選択された施設等の目的地までの経路案内処理を行う部分である。
目的地までの経路案内処理は、一般的なカーナビゲーションシステムにおける経路案内処理と同等である。すなわち、経路案内部１１１は、記憶部１２に記憶されている地図情報１２１に基づいて目的地までの地図を生成し、この地図上にセンサ部１４により測位された車載ナビゲーション装置１０の現在位置と目的地の位置と目的地までのルート情報とを重ね、これを表示部１５に表示することにより経路案内を行うことができる。
なお、経路案内部１１１は、施設推奨サーバシステム３０から提供される推奨施設を目的地とするルート情報を経路案内用のルート情報として利用することができる。
【００５０】
更に、この場合に、図示を省略したスピーカから経路案内用の音声を出力するようにしてもよい。また、道路の混雑状況の情報や天気の情報等を通信部１３による通信により取得して、この取得した情報を経路案内処理に利用するようにしてもよい。例えば、通信部１３を介してＶＩＣＳ（登録商標）（Vehicle Information Communication System）等から取得した道路状況（例えば、渋滞状況等）を経路案内処理に利用するようにしてもよい。なお、目的地までの経路案内処理については、当業者によく知られているので、これ以上の詳細な説明は省略する。
【００５１】
位置情報送信部１１２は、通信部１３を利用した無線通信により、記憶部１２に格納されている位置情報１２２及び識別情報１２３を、施設推奨サーバシステム３０に対して送信する部分である。
位置情報送信部１１２による、施設推奨サーバシステム３０に対する位置情報１２２及び識別情報１２３の送信は、車両５０ａに乗車したユーザにより車両５０ａのイグニッションスイッチがオン（エンジンを起動）にされ、車載ナビゲーション装置１０が自動起動してから、車両５０ａのイグニッションスイッチがオフ（エンジンを停止）にされるまでの間、周期的に行われる。例えば、所定の時間間隔（例えば３秒間隔）でセンサ部１４が測位を行う都度、リアルタイムに送信が行われる。
【００５２】
また、リアルタイムに施設推奨サーバシステム３０に送信する替わりに、複数個まとめて（例えば３分間分の間に３秒間隔で更新された位置情報１２２と、識別情報１２３とをまとめて）、一度に送信するようにしてもよい。すなわち、いわゆるバースト送信をするようにしてもよい。かかる、所定の時間間隔の長さや、リアルタイムに送信するか、それともバースト送信するかは、本実施形態を適用する環境等に応じて、任意に設定することができる。
このようにして、リアルタイム送信やバースト送信を行うことにより、位置情報送信部１１２は、センサ部１４が測位した車両５０ａの移動経路を特定するための位置情報１２２と、識別情報１２３とを、施設推奨サーバシステム３０に対して送信する。
【００５３】
この場合に、イグニッションスイッチがオン（エンジンを起動）にされ、車載ナビゲーション装置１０が自動起動した直後に測位された位置情報１２２により特定される位置を最初の車両位置、すなわち出発位置として施設推奨サーバシステム３０に送信することができる。更に、イグニッションスイッチがオフ（エンジン停止）される直前に測位された位置情報１２２により特定される位置を最終の車両位置、すなわち駐車位置として施設推奨サーバシステム３０に送信することができる。
この場合、出発位置を表す位置情報１２２であることを示す起動情報や、駐車位置を表す位置情報１２２であることを示す停止情報を、位置情報１２２に追加してから、施設推奨サーバシステム３０に送信するようにしてもよい。例えば、起動情報であることを示すフラグを１にして送信したり、停止情報であることを示すフラグを１にして送信したりするとよい。なお、イグニッションスイッチがオフ（エンジン停止）される直前に測位された位置情報１２２（すなわち、駐車位置）については、イグニッションスイッチがオン（エンジンを起動）にされ、車載ナビゲーション装置１０が再度起動した際に送信されてもよい。
【００５４】
また、バースト送信を行う場合であっても、経路案内部１１１により車両５０ａが目的地（例えば、或る施設）に到着したと判断された場合には、位置情報送信部１１２は、リアルタイムに送信を行うように切り替えるとよい。このようにすれば、或る施設に到着後、駐車位置の位置情報１２２が送信される前に、イグニッションスイッチがオフ（エンジン停止）されてしまい、施設等の目的地の位置情報１２２が施設推奨サーバシステム３０に対して送信されない、という事態を防止することができる。
【００５５】
推奨施設情報要求部１１３は、例えば、経路案内部１１１による経路案内に用いるために、現在位置の近辺に所在する推奨施設情報を施設推奨サーバシステム３０に対して要求する部分である。そして、推奨施設情報要求部１１３は、この要求に応じて施設推奨サーバシステム３０から返信された推奨施設情報を表示部１５及び／又は経路案内部１１１に対して出力する。そうすることで、経路案内部１１１は、推奨施設情報要求部１１３から入力される推奨施設を目的地とする経路案内を行うことができる。
【００５６】
図８Ａから図８Ｃに、車両５０の運転手又は同乗者である地域外のユーザ（例えば観光客）が推奨施設情報を利用する場合に車載ナビゲーション装置１０に表示される画面の例を示す。
推奨施設情報要求部１１３は、図８Ａに示すように、表示部１５に、例えば「情報配信開始ＯＮ」ボタンを表示する。ユーザによる当該ボタンのタッチ操作により、情報配信開始をオンに操作された場合、推奨施設情報要求部１１３は、通信部１３を介して、情報配信開始要求を、施設推奨サーバシステム３０に送信する。
そうすることで、推奨施設情報要求部１１３は、図８Ｂに示すように、施設推奨サーバシステム３０から配信される推奨施設情報に基づいて、表示部１５に、車両５０の現在位置周辺の地図上に推奨施設の位置を表示する。また、ユーザの画面切り換え操作等により、推奨施設情報要求部１１３は、図８Ｃに示すように、表示部１５にスクロール可能に推奨施設情報を表示させることで、ユーザに対して立ち寄りたい施設を選択させることができる。
以上、車載ナビゲーション装置１０の構成について説明した。
【００５７】
＜携帯端末２０が備える機能ブロック＞
次に、携帯端末２０が備える機能ブロックについて図３のブロック図を参照して説明をする。
ここで、上述した車載ナビゲーション装置１０は、車両５０ａから電源の供給を受けていたが、携帯端末２０は自身が備えるバッテリ（図示を省略する。）から電源の供給を受ける。ただし、バッテリを充電するために携帯端末２０が車両５０ｂのシガーソケット等から電源の供給を受けるようにしてもよい。
【００５８】
図３に示すように、携帯端末２０は、制御部２１と、記憶部２２と、通信部２３と、センサ部２４と、表示部２５と、入力部２６と、近距離通信部２７とを含んで構成される。
ここで、制御部２１と、記憶部２２と、通信部２３と、センサ部２４と、表示部２５と、入力部２６は、上述した車載ナビゲーション装置１０が含む同名の機能ブロックと同等の機能を有している。つまり、上述した車載ナビゲーション装置１０の説明における「車載ナビゲーション装置１０」の文言を「携帯端末２０」を置き換え、上述した車載ナビゲーション装置１０の説明における、「車両５０ａ」の文言を「車両５０ｂ」と置き換えることにより、携帯端末２０の各機能ブロックの説明となるので、重複する再度の説明は省略する。
【００５９】
一方で、携帯端末２０は、近距離通信部２７を含んでいる点等で、車載ナビゲーション装置１０と相違するので、この相違点について、以下説明をする。
近距離通信部２７は、ＮＦＣ（Near Field Communication）やＢｌｕｅｔｏｏｔｈ（登録商標）といった規格に準拠した非接触の近距離通信、又はＵＳＢ（Universal Serial Bus）ケーブル等を介した有線による近距離通信を行うための部分である。
一方で、車両５０ｂは、近距離通信部２７と通信を行うための近距離通信部を備える。例えば車両５０ｂのＥＣＵ（Electronic Control Unit）が近距離通信部を備える。
そして、携帯端末２０がＥＣＵと近距離通信により通信することができる場合とは、すなわち、携帯端末２０が車両５０ｂの車内に存在する場合である。この場合、携帯端末２０のセンサ部２４が測位する位置情報は、車両５０ｂの位置情報に相当することになる。
【００６０】
そこで、携帯端末２０は、近距離通信部２７を介してＥＣＵと近距離通信できる間は、位置情報送信部２１２を起動させる。そして、起動した位置情報送信部２１２が、車載ナビゲーション装置１０の位置情報送信部１１２と同様にして、センサ部２４が測位した車両５０ｂの移動経路を特定するための位置情報２２２と、識別情報２２３とを、施設推奨サーバシステム３０に対して送信する。
【００６１】
例えば、ユーザが携帯端末２０を所持して車両５０ｂに乗車し、イグニッションスイッチ等の車両５０ｂの起動スイッチをオンにすると、車両５０ｂと携帯端末２０とが接続（ペアリング）され、携帯端末２０で測位した位置情報２２２及び識別情報２２３が携帯端末２０から施設推奨サーバシステム３０に送信される。この場合、車両５０ｂと携帯端末２０とのペアリング直後に測位された位置情報１２２により特定される位置を最初の車両位置、すなわち出発位置として施設推奨サーバシステム３０に送信することができる。
【００６２】
更に、イグニッションスイッチ等の車両５０ｂの起動スイッチがオフにされると、車両５０ｂと携帯端末２０とのペアリングが解除される。この場合、解除された直前に測位された位置情報１２２により特定される位置を最終の車両位置、すなわち駐車位置として施設推奨サーバシステム３０に送信することができる。
この場合に、リアルタイムで送信してもよく、バースト送信してもよい点や、駐車位置に到着したと判断された場合には、バースト送信をリアルタイムの送信に切り替えても良い点や、出発位置又は駐車位置であることを示す起動情報や停止情報を追加しても良い点や、再起動時に駐車位置を送信しても良い点も位置情報送信部１１２と同様である。
【００６３】
なお、車両５０ｂが位置情報を測位する機能を有している場合には、センサ部２４が測位する位置情報ではなく、車両５０ｂが測位する位置情報を位置情報１２２として施設推奨サーバシステム３０に送信するようにしてもよい。この場合、携帯端末２０から、センサ部２４を省略するようにしてもよい。
以上、携帯端末２０の構成について説明した。
【００６４】
＜施設推奨サーバシステム３０が備える機能ブロック＞
次に、施設推奨サーバシステム３０が備える機能ブロックについて図４のブロック図を参照して説明をする。
【００６５】
図４に示すように、施設推奨サーバシステム３０は、制御部３１と、記憶部３２と、通信部３３と、表示部３４と、入力部３５と、を含んで構成される。
【００６６】
制御部３１は、マイクロプロセッサ等の演算処理装置から構成され、３０を構成する各部の制御を行う。制御部３１の詳細については、後述する。
【００６７】
記憶部３２は、半導体メモリ等で構成されており、ファームウェアやオペレーティングシステムと呼ばれる制御用のプログラムや、情報分析処理を行うためのプログラムといった各プログラム、更にその他、地図情報等の種々の情報が記憶される。図中には、記憶部３２が記憶する情報として、施設推奨サーバシステム３０による推奨施設情報作成処理に関する情報である、位置情報データベース３２１、地図情報３２２、施設情報３２３、地元施設ファイル３２４、推奨施設候補ファイル３２５、及び推奨施設ファイル３２６を図示する。
【００６８】
位置情報データベース３２１は、車載ナビゲーション装置１０及び携帯端末２０のそれぞれから受信した位置情報１２２及び位置情報２２２と識別情報１２３及び識別情報２２３とに基づいて構築されたデータベースである。位置情報データベース３２１は、後述の位置情報データベース作成部３１１により構築及び更新される。位置情報データベース３２１の詳細については、位置情報データベース作成部３１１の説明の際に後述する。なお、以下の説明では、位置情報１２２及び位置情報２２２を区別することなく説明する際は、符号を省略して「位置情報」と呼ぶ。また、同様に識別情報１２３及び識別情報２２３を区別することなく説明する際は、符号を省略して「識別情報」と呼ぶ。
【００６９】
地図情報３２２は、上述した地図情報１２１や地図情報２２１と同じ情報である。地図情報３２２は、地図情報１２１や地図情報２２１と同様に、予め記憶しておく構成としてもよいし、通信網４０に接続されたサーバ装置（図示を省略する。）等から必要に応じて適宜ダウンロードされる構成としてもよい。更に、ユーザの入力等に応じて適宜修正されてもよい。
【００７０】
施設情報３２３は、施設の識別情報（施設ＩＤ）、名称、施設種別（及び／又はジャンル、カテゴリー）、電話番号、住所、営業時間等を含む。なお、施設が飲食店であれば提供するメニュー、商品役務等に関する施設情報、等の付帯的な情報が含まれていてもよい。
施設情報３２３は、当該施設が前述したチェーン又はフランチャイズ方式の施設であるか、衣料品のＳＰＡであるか、モールであるか、全国各地の施設情報をガイドしたエリアマガジンに記載された施設であるか、観光客向けサイトで紹介された施設であるか、といったことを示す識別情報（以下「除外施設識別データ」ともいう）を含むようにしてもよい。以下、施設情報が除外施設識別データを含む場合、当該施設を「除外施設」ともいう。
施設情報３２３は、予め記憶しておく構成としてもよいし、通信網４０に接続されたサーバ装置（図示を省略する。）等から必要に応じて適宜ダウンロードされる構成としてもよい。更に、ユーザの入力等に応じて適宜修正されてもよい。
なお、地元施設ファイル３２４、推奨施設候補ファイル３２５、及び推奨施設ファイル３２６については、後述の制御部３１の説明において詳述する。
【００７１】
通信部３３は、ＤＳＰ（Digital Signal Processor）等を有し、３Ｇ（3rd Generation）ＬＴＥ（Long Term Evolution）やＷｉ−Ｆｉ（登録商標）といった規格に準拠して、通信網４０を介して通信網４０を介した他の装置との間の無線通信を実現する。通信部３３は、例えば、車載ナビゲーション装置１０及び携帯端末２０のそれぞれから送信される位置情報及び識別情報を受信するために利用される。また、他にも通信部３３は、例えば、車載ナビゲーション装置１０及び携帯端末２０に対して地元ルート情報等の経路情報を送信するために利用される。
ただし、通信部３３と他の装置との間で送受信されるデータに特に制限はなく、これらの情報以外の情報が送受信されるようにしてもよい。
【００７２】
表示部３４は、液晶ディスプレイ、又は有機エレクトロルミネッセンスパネル等の表示デバイスにより構成される。表示部１５は、制御部１１からの指示を受けて画像を表示する。表示部１５が表示する情報としては、例えば、位置情報データベース３２１から読み出された位置情報データベース内の各情報や、地図情報３２２から読み出された地図情報や、推奨施設情報等の施設情報や、各種のユーザインタフェース等が挙げられる。
【００７３】
入力部３５は、キーボードやマウス等の入力装置（図示を省略する。）等で構成される。入力部１６からの操作入力に基づいて、例えば、位置情報データベース３２１や地図情報３２２の修正や、施設情報等の修正処理を行うことが可能となる。これらの操作は、例えば、施設推奨サーバシステム３０を管理する事業者により行われる。
【００７４】
次に、制御部３１の詳細について説明をする。制御部３１はＣＰＵ（Central Processing Unit）、ＲＡＭ（Random access memory）、ＲＯＭ（Read Only Memory）、及びＩ／Ｏ（Input / output）等を有するマイクロプロセッサにより構成される。ＣＰＵは、ＲＯＭ又は記憶部３２から読み出した各プログラムを実行し、その実行の際にはＲＡＭ、ＲＯＭ、及び記憶部３２から情報を読み出し、ＲＡＭ及び記憶部３２に対して情報の書き込みを行い、通信部３３、表示部３４、及び入力部３５と信号の授受を行う。そして、このようにして、ハードウェアとソフトウェア（プログラム）が協働することにより本実施形態における処理は実現される。
【００７５】
制御部３１は、機能ブロックとして、位置情報データベース作成部３１１、地元施設抽出部３１２、推奨施設情報作成部３１３、及び推奨施設情報配信部３１４を含む。
位置情報データベース作成部３１１は、位置情報データベース３２１を構築して、適宜作成更新する部分である。位置情報データベース３２１のデータ構造の一例について、図５を参照して説明する。
【００７６】
図５に示すように、位置情報データベース３２１は、上述したようにして車載ナビゲーション装置１０及び携帯端末２０のそれぞれから受信した「位置情報」及び「識別情報」を含む。
更に、位置情報データベース３２１は、上述したようにして車載ナビゲーション装置１０及び携帯端末２０のそれぞれから受信した「位置情報」に基づいて位置情報データベース作成部３１１が特定した、「訪問施設」、「出発位置」を含む。なお、「出発位置」は後述する「出発位置種別」（図示せず）を含む。
そして、位置情報データベース作成部３１１は、それぞれの属性に対応する情報を、フィールドに格納することにより、位置情報データベース３２１を構築及び更新する。
【００７７】
ここで、位置情報データベース３２１内の「訪問施設」は、ユーザが車両５０により訪問した施設を識別するための情報である。位置情報データベース作成部３１１は、識別情報と共に受信した位置情報から、訪問施設を特定する。例えば、上述したように、位置情報に駐車位置を示す情報が含まれている場合を考える。この場合、この駐車位置と、地図情報３２２に含まれる各施設の位置（及び施設に紐付けられている駐車場の位置）を比較し、特定した駐車位置と何れかの施設の位置（及び施設に紐付けられている駐車場の位置）が一致した場合に、ユーザが、車両５０によりこの施設に訪問したと判定する。
そして、地図情報３２２に含まれる施設の識別情報（施設ＩＤ）が位置情報データベース３２１内の、訪問施設のフィールドに格納される。
【００７８】
また、仮に位置情報に駐車位置を示す情報が含まれていない場合には、例えば、位置情報の送信が開始されて終了するまでの間の、最後に受信した位置情報に対応する位置や、一定時間変化しない位置を駐車位置であるとみなして、各施設の位置（及び施設に紐付けられている駐車場の位置）との比較をすることによって訪問施設を特定することもできる。
更に、仮に位置情報に駐車位置を示す情報が含まれていない場合には、例えば、経路案内において目的地として設定された施設を訪問施設として特定することもできる。
【００７９】
なお、上述した駐車位置と、施設の位置の「一致」の度合いは任意に定めるようにしてよい。例えば、車載ナビゲーション装置１０や携帯端末２０が位置情報を精度良く測定できるような場合には、一致と判定する範囲を狭くするようにしてもよい。一方で、車載ナビゲーション装置１０や携帯端末２０が位置情報をそれほど精度良く測定できないような場合には、一致と判定する範囲を広くするようにしてもよい。つまり、多少位置がズレている場合にも一致と判定するようにしてもよい。
【００８０】
また、位置情報データベース３２１内の「識別情報」は、上述したように位置情報の送信元である車載ナビゲーション装置１０や携帯端末２０を識別するための情報である。すなわち、車載ナビゲーション装置１０や携帯端末２０に対応する車両５０を識別する情報である。位置情報データベース作成部３１１は、位置情報と共に受信した識別情報をフィールドに格納する。
【００８１】
また、位置情報データベース３２１内の「出発位置」は、訪問施設を訪問した際の移動経路における出発位置である。
位置情報データベース作成部３１１は、識別情報と共に受信した位置情報から、出発位置を特定する。例えば、上述したように、位置情報に出発位置を示す情報が含まれているならば、この情報により出発した位置を特定する。また、仮に位置情報に出発位置を示す情報が含まれていない場合には、例えば、位置情報の送信が開始されて終了するまでの間の、最初に受信した位置情報に対応する位置が出発位置であるとみなすこともできる。
位置情報データベース作成部３１１は、このように特定した出発位置に基づいて、出発位置が車両５０の自宅位置か否か、出発位置がレンタカー施設か否か、又は出発位置が地図情報３２２に含まれる、レンタカー施設を除く施設（及び施設に紐付けられている駐車場）であるか否かを特定することができる。
ここで、出発位置がレンタカー施設を除く施設の位置（又は施設に紐付けられている駐車場の位置）である場合、例えば、車両５０は、該施設に一時的に立ち寄ったか、又は当該施設に宿泊していたことが考えられる。この場合、位置情報データベース作成部３１１は、当該識別情報に対応する車両５０の走行情報（位置情報）を時間を遡って参照することで、当該識別情報に対応する車両５０の最初の出発位置（レンタカー施設の位置又は施設以外の位置）を特定して、当該訪問施設の出発位置として、位置情報データベース３２１内の「出発位置」として記録するものとする。
以上のようにして特定された「出発位置」がレンタカー施設の位置に「一致」する場合、位置情報データベース作成部３１１は、レンタカー施設であることを示すデータを位置情報データベース３２１内の「出発位置」に含まれる「出発位置種別」に格納する。
また上記出発位置が、レンタカー施設の位置に該当しない場合、当該出発位置を当該車両５０の自宅位置と判定してもよい。この場合、位置情報データベース作成部３１１は、自宅位置であることを示すデータを位置情報データベース３２１内の「出発位置」に含まれる「出発位置種別」に格納する。
なお、位置情報データベース作成部３１１は、当該識別情報に対応する走行情報を時間を遡って参照することで、自宅位置かどうかを判定するようにしてもよい。例えば、過去に各日の最初に出発した位置が同じ位置である頻度が大きい場合、位置情報データベース作成部３１１は、当該出発位置を自宅位置と判定するようにしてもよい。
【００８２】
また、位置情報データベース３２１内の「位置情報」は、訪問施設を訪問した際の移動経路における出発位置から駐車位置までの間の時間離散的に変化する位置情報の全てである。なお、位置情報データベース３２１内の「位置情報」には、最初の出発位置から当該訪問施設までの位置情報を連結して記憶させるものとする。位置情報データベース作成部３１１は、位置情報の送信が開始されて終了するまでの間に受信した全ての位置情報をフィールドに格納する。
【００８３】
位置情報データベース作成部３１１は、何れかの車載ナビゲーション装置１０及び携帯端末２０から位置情報及び識別情報の送信が一度開始されてから終了するまでの間、受信した位置情報及び識別情報に基づいて新たなフィールドに上述した各情報を格納することにより位置情報データベース３２１を更新する。
【００８４】
次に、地元施設抽出部３１２について説明をする。説明に際して、位置情報データベース３２１内の各フィールドを指す場合、単に訪問施設、識別情報、出発位置、位置情報等といい、当該フィールドに記憶された実データを指す場合、例えば訪問施設Ｄ、識別情報Ｄ、出発位置Ｄ、位置情報Ｄ等という。
【００８５】
地元施設抽出部３１２は、位置情報データベース３２１内に格納されている各レコードの訪問施設と出発位置を参照して、出発位置Ｄが自宅位置であることを示し、かつ訪問施設Ｄが出発位置Ｄから予め設定された第１所定範囲内に存在するか否かを判定する。
出発位置Ｄが自宅位置であり、かつ訪問施設Ｄが出発位置Ｄから第１所定範囲内に存在する場合、地元施設抽出部３１２は、当該レコードを地元施設情報レコードとして抽出し、記憶部３２（地元施設ファイル３２４）に記憶させる。
【００８６】
ここで、第１所定範囲は任意の大きさとすることができる。例えば、出発位置を中心とした半径Ｎ［ｋｍ］（Ｎは、任意の正の値）の範囲を第１所定範囲とすることができる。また、半径ではなく、例えば出発位置からの道路上での移動距離がＮ［ｋｍ］の範囲を第１所定範囲とすることができる。また、他にも例えば出発位置からの所要移動時間に基づいて第１所定範囲を決定するようにしてもよい。第１所定範囲の大きさは例えば、施設推奨サーバシステム３０を利用するユーザが設定するようにするとよい。
【００８７】
地元施設抽出部３１２は、位置情報データベース３２１内に格納されているレコードの出発位置Ｄがレンタカー施設の位置である場合、地元施設情報レコードとして抽出しない。
こうすることで、レンタカーからの情報を除外し、地元のユーザがよく訪問する地元の施設が抽出される確度を高めることができる。
【００８８】
次に、推奨施設情報作成部３１３について説明をする。
推奨施設情報作成部３１３は、地元施設抽出部３１２により抽出して作成された地元施設情報（地元施設ファイル３２４）から、予め設定される所定の施設（以下「除外施設」という）に対応する施設情報を除外した、推奨施設候補ファイル３２５を作成する。
ここで、除外施設としては、例えば、次の施設が挙げられる。
（１）日常生活に関連する施設、例えば医療及び／又は薬品に従事する機関、複数の店舗を持つチェーン店又はフランチャイズ店、複数の店舗を持つ衣料品のＳＰＡ（製造小売）等、
（２）全国各地の施設情報をガイドしたエリアマガジンに記載された施設、
（３）観光客向けサイトで紹介された施設。
【００８９】
（１）に挙げた施設を除外することで、地元のユーザが日常的によく訪問する地元の施設であっても、地域外のユーザ（例えば観光客）にとっては不要となる施設が推奨されることなく、地域外のユーザに対して、地元の人に好評な施設として推奨する施設情報の確度を高めることができる。
同様に、（２）及び（３）に挙げた施設を除外することで、地域外のユーザ（例えば観光客）が、既に観光客が訪問しているような施設を推奨することなく、地元民以外に知られていない施設を推奨する確度を高めることができ、推奨施設情報の価値をより高めることができる。
【００９０】
なお、除外施設はこれらに限定されない。地元のユーザがよく利用する施設であっても、地域外のユーザ（観光客）にとってもよく知られた施設や観光客が必要としない施設を適宜追加してもよい。
このような、除外施設に該当するか否かの判断は、例えば、施設情報に記憶されている施設種別（カテゴリー等）に基づいて行うことができるが、例えば、施設情報として、除外施設であることを示す識別情報（以下「除外施設識別データ」ともいう）を含むようにしてもよい。また、除外施設に該当する施設ＩＤから構成される除外施設テーブル（図示せず）を記憶部３２に設けてもよい。
そうすることで、施設推奨サーバシステム３０の管理者は、除外施設を適宜追加更新することが可能となる。
【００９１】
推奨施設情報作成部３１３は、推奨施設候補ファイル３２５から、所定の期間におけるレコードを抽出し、抽出したレコードを、例えば訪問施設（施設ＩＤ）及び車両５０の識別情報に基づいてソートすることで、訪問施設別／訪問車両別の訪問回数を算出することができる。
推奨施設情報作成部３１３は、訪問施設別／訪問車両別の訪問回数に基づいて、例えば、次のようにして、推奨施設を評価することができる。
（１）所定期間内に訪問施設に来訪した車両５０の台数（同じ車両５０が複数回来訪した場合は、その回数を集計する）の合計値による車両来訪数による評価（「車両来訪数＿評価」）、
（２）所定期間内に訪問施設に来訪したリピート回数の多い車両５（リピーター）の台数合計による重み付け評価（「リピート＿評価」）、
（３）所定期間内に訪問施設を来訪した異なる車両５０の台数（同じ車両５０が複数回来訪した場合であっても１回としてカウントする）の合計値による車両来訪数による評価（「異なる車両来訪数＿評価」）。
なお、推奨施設を選択する際の評価方法はこれらに限定されない。この他にも、所定期間内に方も訪問施設を来訪した車両５０の台数を車両種別（又は車種名）ごとに集計した車両種別来訪数に基づく評価（「車両種別＿評価」）等が挙げられる。
推奨施設情報を提供するターゲットとする対象者（地域外のユーザ）に応じて、適宜評価方法を適用してもよい。
以上のように、推奨施設情報作成部３１３は、例示したような評価に基づいて、推奨施設候補ファイル３２５から、予め設定された評価方法に基づいて推奨施設を選択することで、推奨施設情報を作成し、記憶部３２（推奨施設ファイル３２６）に記憶させる。
【００９２】
次に、推奨施設情報配信部３１４について説明をする。推奨施設情報配信部３１４は、車載ナビゲーション装置１０及び携帯端末２０から推奨施設情報の要求を受け付ける。この推奨施設情報の要求には、車両５０の識別情報（車両ＩＤ）、現在位置、現在時刻等が含まれるものとする。
推奨施設情報の要求に応答して、推奨施設情報配信部３１４は、推奨施設ファイル３２６を検索することで、例えば、車両５０の現在位置周辺及び走行ルート周辺に位置している推奨施設に係る推奨施設情報を取得し、予め設定された時間（例えば、３０分間）、予め設定された時間間隔（例えば５分間隔）で配信することができる。
以上、本発明の施設推奨システム１の各機能部の実施形態を、車両５０に搭載される車載ナビゲーション装置１０、携帯端末２０、及び施設推奨サーバシステム３０の構成に基づいて説明した。なお、本発明の施設推奨サーバシステム３０の備える各機能部の実施形態は、１台のコンピュータでも、１箇所にある又は数箇所に分散され、通信ネットワークによって相互接続された多数のコンピュータでも分散して実行するように展開できる。また、クラウド上の複数の仮想コンピュータを用いて構成することもできる。
【００９３】
＜本実施形態の動作＞
次に、図６及び図７のフローチャートを参照して、本実施形態の動作について説明する。ここで、図６は、位置情報の収集及び位置情報データベース３２１の作成更新時の動作を示すフローチャートである。また、図７は、推奨施設情報作成処理時の動作を示すフローチャートである。
【００９４】
まず、車載ナビゲーション装置１０についての位置情報の収集及び位置情報データベース３２１の作成更新時の動作について図６を参照して説明する。
位置情報送信部１１２が位置情報の送信を開始するか否かを判定する（ステップＳ１１）。ここで、上述したように、車両５０ａのイグニッションスイッチがオンとなった場合に送信が開始される。イグニッションスイッチがオフのままの場合には（ステップＳ１１にてＮｏ）、位置情報送信部１１２による送信は開始されない。一方で、イグニッションスイッチがオンとなった場合には（ステップＳ１１にてＹｅｓ）、ステップＳ１２に進む。
【００９５】
ステップＳ１２では、センサ部１４が、車載ナビゲーション装置１０の位置を測位することにより位置情報を取得する（ステップＳ１２）。
位置情報送信部１１２は、センサ部１４から位置情報を取得し、取得した位置情報を施設推奨サーバシステム３０に対して、所定の周期で、リアルタイム送信又はバースト送信をする（ステップＳ１３）。
【００９６】
次に、位置情報送信部１１２が位置情報の送信を終了するか否かを判定する（ステップＳ１４）。上述したように、車両５０ａのイグニッションスイッチがオフとなった場合に送信が終了となる。車両５０ａのイグニッションスイッチがオンのままの場合には（ステップＳ１４にてＮｏ）、ステップＳ１２における測位及びステップＳ１３における送信が繰り返される。
【００９７】
一方で、車両５０ａのイグニッションスイッチがオフとなった場合には（ステップＳ１４にてＹｅｓ）、ステップＳ１５に進む。
【００９８】
ステップＳ１５では、施設推奨サーバシステム３０の位置情報データベース作成部３１１が、ステップＳ１２及びステップＳ１３の繰り返しにより送信された位置情報に基づいて位置情報データベース３２１を作成更新する（ステップＳ１５）。
以上説明した動作により、位置情報の収集及び位置情報データベースの作成更新が実現される。
【００９９】
次に、携帯端末２０についての位置情報の収集及び位置情報データベースの更新時の動作について説明する。携帯端末２０については、上述の説明における、位置情報送信部１１２を位置情報送信部２１２に置き換え、センサ部１４をセンサ部２４に置き換え、ステップＳ１１にてＹｅｓとなる基準を「イグニッションスイッチ等の車両５０ｂの起動スイッチがオンとなり、車両５０ｂと携帯端末２０がペアリングした場合」に置き換え、ステップＳ１４にてＹｅｓとなる基準を「イグニッションスイッチ等の車両５０ｂの起動スイッチがオフとなり、車両５０ｂと携帯端末２０のペアリングが解除された場合」に置き換えればよい。従って重複する説明を省略する。
【０１００】
次に、図７のフローチャートを参照して、推奨施設情報作成処理時の動作について説明をする。
【０１０１】
ステップＳ２０において、位置情報データベース３２１に格納されているレコードを入力する。
【０１０２】
ステップＳ２１において、位置情報データベース３２１に格納されている全てのレコードの入力が終了したか否かを判定する。全てのレコードの入力が終了した場合（Ｙｅｓ）地元施設ファイル３２４をクローズして、ステップＳ２５に移る。全てのレコードの入力が終了していない場合（Ｎｏ）ステップＳ２２に進む。
【０１０３】
ステップＳ２２において、地元施設抽出部３１２は、位置情報データベース３２１に格納されているレコードの訪問施設と出発位置を参照して、出発位置Ｄが自宅位置か否かを判定する。出発位置Ｄが自宅位置である場合（Ｙｅｓ）、ステップＳ２３に進む。出発位置Ｄが自宅位置でない場合（Ｎｏ）、ステップＳ２０に移る。
【０１０４】
ステップＳ２３において、地元施設抽出部３１２は、訪問施設Ｄが出発位置Ｄから第１所定範囲内に存在するか否かを判定する。訪問施設Ｄが出発位置Ｄから第１所定範囲内に存在する場合（Ｙｅｓ）、ステップＳ２４に進む。訪問施設Ｄが出発位置Ｄから第１所定範囲内に存在しない場合（Ｎｏ）、ステップＳ２０に移る。
【０１０５】
ステップＳ２４において、地元施設抽出部３１２は、当該レコードを地元施設情報レコードとして抽出し、記憶部３２（地元施設ファイル３２４）に記憶させる。その後、ステップＳ２０に移る。
【０１０６】
ステップＳ２５において、推奨施設情報作成部３１３は、地元施設抽出部３１２により作成された地元施設ファイル３２４から、除外施設に係る施設情報を除外した、推奨施設候補ファイル３２５を作成する。
【０１０７】
ステップＳ２６において、推奨施設情報作成部３１３は、推奨施設候補ファイル３２５から、所定期間におけるレコードを抽出する。
ステップＳ２７において、推奨施設情報作成部３１３は、抽出したレコードを訪問施設（施設ＩＤ）及び車両５０の識別情報に基づいてソートすることで、訪問施設別／訪問車両別の訪問回数を算出する。
ステップＳ２８において、推奨施設情報作成部３１３は、訪問施設別／訪問車両別の訪問回数に基づいて、推奨施設ファイル３２６を作成する。
【０１０８】
施設推奨サーバシステム３０は、前述したように、作成された推奨施設ファイル３２６に基づいて、例えば、地元ユーザ以外のユーザ（例えば観光客）の乗車する車両５０に対して、当該車両５０の現在位置の近辺に所在する推奨施設情報（地元の人が足しげく通う施設（店舗）であって、地元民以外にあまり知られていない施設を地元の人に好評な施設として推奨する施設情報）を配信することができる。
そうすることで、地域外のユーザ（例えば観光客）は、配信された推奨施設を目的地とする経路案内を行うことができる。
【０１０９】
＜ハードウェア及びソフトウェアについて＞
なお、上記の施設推奨システムに含まれる各機器のそれぞれは、ハードウェア、ソフトウェア又はこれらの組み合わせにより実現することができる。また、上記の施設推奨システムに含まれる各機器のそれぞれが協働することにより行なわれる施設推奨方法も、ハードウェア、ソフトウェア又はこれらの組み合わせにより実現することができる。ここで、ソフトウェアによって実現されるとは、１つ以上のコンピュータが１つ以上のプログラムを読み込んで実行することにより実現されることを意味する。
【０１１０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１１】
＜変形例＞
上述した実施形態は、本発明の好適な実施形態ではあるが、上記実施形態のみに本発明の範囲を限定するものではなく、本発明の要旨を逸脱しない範囲において種々の変更を施した形態での実施が可能である。
上述した実施形態の機能的構成を変形するようにしてもよい。つまり、図２、図３及び図４の機能的構成は例示に過ぎず、本実施形態の機能的構成を限定するものではない。すなわち、本発明の施設推奨機能に関する一連の処理を全体として実行できる機能が各機器に備えられていれば足り、この機能を実現するためにどのような機能ブロックを用いるのかは特に図２、図３及び図４の例に限定されない。
【０１１２】
また、これら機能的構成を実現するための装置についても、上述した実施形態での説明は例示に過ぎない。例えば、上述の実施形態では、施設推奨サーバシステム３０を１つのサーバ装置等により実現すると説明したが、施設推奨サーバシステム３０の各機能を、適宜複数のサーバ装置に分散する、分散処理システムとしてもよい。また、クラウド上で仮想サーバ機能等を利用して、施設推奨サーバシステム３０の各機能を実現してもよい。
【０１１３】
また、施設推奨サーバシステム３０が備えるとして説明した表示部３４及び入力部３５は、施設推奨サーバシステム３０の他の部分を実現する装置とは、別体の装置により実現されてもよい。例えば、制御部３１、記憶部３２及び通信部３３を実現する装置と、表示部３４及び入力部３５を実現する装置とを別体とし、通信網４０を介して両装置が通信を行うような構成としてもよい。
【０１１４】
また、地元施設抽出部３１２は、位置情報データベース３２１内に格納されているレコードの出発位置Ｄがレンタカー施設の位置である場合、地元施設情報レコードとして抽出していないが、出発位置Ｄに格納する種類を増やし、地元施設情報レコードとしての抽出可否を判断することも可能である。
例えば、タクシー車両の拠点となる駐車場をタクシー施設として格納し、地元施設情報レコードとして抽出しないと判断したり、集合住宅や地域で共用するシェアカーの拠点となる駐車場をシェアカー施設として格納し、地元施設情報レコードとして抽出すると判断するようにしても良い。
なお、車両種別は、これらレンタカー、タクシー、シェアカーに限らず、適宜設定可能である。
【符号の説明】
【０１１５】
１  施設推奨システム
１０  車載ナビゲーション装置
１１、２１、３１  制御部
１１１、２１１  経路案内部
１１２、２１２  位置情報送信部
１１３、２１３  推奨施設情報要求部
１２、２２、３２  記憶部
１２１、２２１、３２２  地図情報
１２２、２２２  位置情報
１２３、２２３  識別情報
１３、２３、３３  通信部
１４、２４  センサ部
１５、２５、３４  表示部
１６、２６、３５  入力部
２０  携帯端末
２７  近距離通信部
３０  施設推奨サーバシステム
３１  制御部
３１１  位置情報データベース作成部
３１２  地元施設抽出部
３１３  推奨施設情報作成部
３１４  推奨施設情報配信部
３２  記憶部
３２１  位置情報データベース
３２２  地図情報
３２３  施設情報
３２４  地元施設ファイル
３２５  推奨施設候補ファイル
３２６  推奨施設ファイル
４０  通信網
５０ａ、５０ｂ  車両
６  移動体
【図１】
2019130752.tif 000003
【図２】
2019130752.tif 000004
【図３】
2019130752.tif 000005
【図４】
2019130752.tif 000006
【図５】
2019130752.tif 000007
【図６】
2019130752.tif 000008
【図７】
2019130752.tif 000009
【図８Ａ】
2019130752.tif 000010
【図８Ｂ】
2019130752.tif 000011
【図８Ｃ】
2019130752.tif 000012
【国際調査報告】
2019130752.tif 000013
2019130752.tif 000014
2019130752.tif 000015
2019130752.tif 000016